(57)【要約】【課題】本発明は、食用鶏のささみにある筋を、取り除くことを目的とした、ささみの筋取り器具に関するものである。【解決手段】円滑に抜差し可能な隙間を介在させた外径及び内径の異なるパイプを、同心状に配置し、各々に柄が固着された３本のパイプで構成され、ささみの筋（５５）とささみ肉（６０）分離するための刃を有するパイプと前記ささみの筋（５５）を拘束する輪を固着したパイプと拘束する輪を締め込み前記ささみの筋（５５）を拘束するパイプと、前記ささみの筋（５５）の拘束を固定する機能と構造を備えた、ささみの筋取り器具（１００）を提供する。【選択図】  図１
2020054260.tif 000002
【特許請求の範囲】
【請求項１】
切断パイプ柄（１）と拘束用パイプ柄（２）と拘束輪パイプ柄（３）と切断用パイプ（１−Ａ）と拘束用パイプ（２−Ａ）と拘束輪取付パイプ（３−Ａ）と拘束輪（３−Ｃ）で構成され、前記切断用パイプ（１−Ａ）は前記切断部材柄（１）に固着され、前記拘束用パイプ（２−Ａ）は前記拘束用パイプ柄（２）に固着され、前記拘束輪取付パイプ（３−Ａ）は前記拘束輪パイプ柄（３）に固着され、前記拘束輪取付パイプ（３−Ａ）先端側に固着された前記拘束輪（３−Ｃ）は空間（３−Ｄ）を形成し、前記切断用パイプ（１−Ａ）に前記拘束用パイプ（２−Ａ）が、前記拘束用パイプ（２−Ａ）に前記拘束輪取付パイプ（３−Ａ）が、円滑に抜差し可能とする隙間を介在させた外径及び内径異なるパイプを同心状に配置した構造を特徴とするささみの筋取り器具。
【請求項２】
拘束輪（３−Ｃ）と拘束用パイプ（２−Ａ）により、食用鶏のささみ（２００）にあるささみの筋（５５）を拘束する構造を特徴とする請求項１に記載のささみの筋取り器具。
【請求項３】
拘束ピン（３−Ｂ）と弓形状の傾斜溝（２−Ｃ）により、ささみの筋（５５）の拘束を固定する構造を特徴とする請求項１または２に記載のささみの筋取り器具。
【請求項４】
拘束輪（３−Ｃ）及び拘束用パイプ（２−Ａ）、拘束ピン（３−Ｂ）、傾斜溝（２−Ｃ）により拘束固定したささみの筋（５５）を同心状に配置した切断用パイプ（１−Ａ）により、食用鶏のささみ（２００）にある前記ささみの筋（５５）周囲の組織を押し切る構造を特徴とする請求項１から３に記載のささみの筋取り器具。
【発明の詳細な説明】
【技術分野】
【０００１】
本発明は、主に食用鶏のささみにある筋を、取り除くことを目的とした、ささみの筋取り器具に関するものである。
【背景技術】
【０００２】
従来、食用鶏のささみの筋を取り除くには、包丁、ホーク、割り箸、等を使用し、ささみの筋を取り除いていた。また、手の大きさ程の緩く湾曲した板に小さな穴を貫通させ、そこにささみの筋を通して筋を引抜く器具が、特許開示されている。また、角度を付けた２枚の板の隙間にささみの筋を通して筋を取り除く器具が、実用新案登録されている。
【先行技術文献】
【特許文献】
【０００３】
【特許文献１】特開２００２−１１９２０１
【特許文献２】実用新案登録第３２１８０１１号
【発明の概要】
【発明が解決しようとする課題】
【０００４】
従来のささみの筋を取り除く方法は、使用する器具及び道具はそれぞれ異なるが、ささみ肉にある筋を、隙間もしくは穴に通し、柔らかく身の崩れやすい、ささみ肉から強制的に剥がしながら引抜く方法であった。従来の方法には、次のような問題点があった。
（イ）食鶏肉として販売されてるささみにある筋は、露出部分が、約１．５センチメートル〜約２．０センチメートル程、直径約５．０〜約７．０ミリメートル程と細く切断面は楕円形である。残りはささみ肉の内部へと繋がっており、その部分は目視できない。尚且つ、ささみにある露出部分の筋表面は、非常に滑り易い組織であるため、手指だけでは非常に摘みにくく、従来の方法では、特に握力の弱い女性には、大変困難な作業である。
（ロ）従来の方法では、ささみにある筋を、隙間もしくは、穴に通し、柔らかく、身の崩れやすいささみ肉から強制的に剥がしながら引抜く方法であるため、殆どの場合、ささみ肉の形状が崩れてしまい、後の調理の際に、困難を招いていた。
（ハ）包丁を使用する場合は、露出していない部分のささみ肉の筋周辺におおよそで、切込を入れなければならず、ある程度の熟練した包丁技術を必要とした。
本発明は、上記のような問題を解決するべく創案されたものである。
【課題を解決するための手段】
【０００５】
円滑に抜差し可能な隙間を介在させた外径及び内径の異なるパイプを同心状に配置し、各々に柄が固着された３本のパイプで構成され、ささみの筋（５５）とささみ肉（６０）分離するための刃を有するパイプと前記ささみの筋（５５）を拘束する輪を固着したパイプと拘束する輪を締め込み前記ささみの筋（５５）を拘束するパイプと、前記ささみの筋（５５）の拘束を固定する機能と構造を備えた、ささみの筋取り器具（１００）を提供する。
【０００６】
摘みにくかったささみ（２００）にある筋を、簡単で確実に拘束する構造である。
【０００７】
拘束したささみの筋（５５）を、ささみ（２００）から分離するための、刃を備えた構造であり、処理後のささみ肉（６０）の形状が保たれる。
【０００８】
ささみの筋（５５）の繊維は筋に対して縦方向に並んでいるため、縦方向の牽引力には強度があり、本発明を使用しても、まず、断切されることはない。
【０００９】
本発明品は以上の構成からなるささみの筋取り器具（１００）である。
【発明の効果】
【００１０】
本発明品を使えば、従来、手間と力をかけて行っていた、ささみの筋取り作業が、手早く簡単に行える。          
【００１１】
本発明品を使えば、包丁など危険な道具を使うことなく、ささみの筋を取る作業が安全に行える。
【００１２】
本発明品を使えば、作業前のささみ肉（６０）の形状をほぼ保ったまま、ささみの筋だけを、取り除くことができ、後々の調理時間も短縮でき、料理としての仕上がりも綺麗である。
【図面の簡単な説明】
【００１３】
【図１】本発明のささみの筋取り器具（１００）の斜視図である。
【図２】本発明のささみの筋取り器具（１００）の分解図面、切断部材（１０）の斜視図である。
【図３】本発明のささみの筋取り器具（１００）の分解図面、拘束用パイプ部材（２０）の斜視図である。
【図４】本発明のささみの筋取り器具（１００）の分解図面、拘束輪部材（３０）の斜視図である。
【図５】本発明のささみの筋取り器具（１００）の分解図面、切断部材（１０）の背面側斜視構造図である。
【図６】本発明のささみの筋取り器具（１００）の分解図面、拘束用パイプ部材（２０）の背面側斜視構造図である。（尚、拘束用パイプ（２−Ａ）の断面図は省略している。）
【図７】拘束用パイプ部材（２０）の拘束用パイプ柄（２）背面側底面平面図である。
【図８】拘束用パイプ部材（２０）の拘束用パイプ柄（２）側面断面図である。
【図９】本発明のささみの筋取り器具（１００）の実施例使用前の状態を表した斜視図である。
【図１０】拘束輪（３−Ｃ）の空間（３−Ｄ）にささみの筋（５５）を入れた実施例使用中の斜視図である。
【図１１】拘束輪部材柄（３）を背面側に引き拘束輪（３−Ｃ）の空間（３−Ｄ）に入れたささみの筋（５５）を仮拘束した  実施例使用中の側面構造図である。
【図１２】拘束輪パイプ柄（３）を傾斜溝（２−Ｃ）の浅方向に回し、ささみの筋（５５）の拘束を固定した実施例使用中の側面構造図である。
【図１３】切断部材（１０）をささみ（２００）に挿入した実施例使用中の側面構造図である。
【図１４】本発明のささみの筋取り器具（１００）を使用し、ささみ（２００）にある、ささみの筋（５５）取り作業した後の、実施例側面構造図とささみ肉（６０）の状態図である。
【発明を実施するための形態】
【００１４】
本発明である、ささみの筋取り器具（１００）を実施例に基づき説明する。
【００１５】
本実施例で説明するささみの筋取り器具（１００）を構成する、図２に示す切断部材（１０）、図３に示す拘束用パイプ部材（２０）、図４に示す拘束輪部材（３０）各々に有するパイプは円形状とし、前記切断部材（１０）に有する切断パイプ柄（１）と前記拘束用パイプ部材（２０）に有する拘束用パイプ柄（２）と前記拘束輪部材（３０）に有する拘束輪パイプ柄（３）は同外径の円柱形状と定義する。
【００１６】
本発明である、図１に示すささみの筋取り器具（１００）は、図２に示す切断部材（１０）、図３に示す拘束用パイプ部材（２０）、図４に示す拘束輪部材（３０）の３つの部材で構成されている。
【００１７】
各々のパイプは中心部より拘束輪取付パイプ（３−Ａ）、拘束用パイプ（２−Ａ）、切断用パイプ（１−Ａ）の順序で同心円状に挿入配置されており、各々のパイプの隙間は例えば、０．１ミリメートルから０．５ミリメートルであり円滑にスライドできるだけの隙間を有している。前記３本のパイプには各々に柄が固着されている。
【００１８】
図２に示す切断部材（１０）、図３に示す拘束用パイプ部材（２０）、図４に示す拘束輪部材（３０）各々に有する柄は、衛生的で強度があり硬質であるが加工が容易で軽量な素材が使用されている。例としては、プラスチック樹脂、アクリル樹脂、硬質木材等である。
【００１９】
図５に示す切断部材（１０）に有する切断用パイプ（１−Ａ）は硬質で腐食しにくい素材であり、切断用パイプ柄（１）先端側底面中心から背面側底面中心を貫通し、前記切断用パイプ（１−Ａ）背面側最端部は前記切断用パイプ柄（１）の背面側底面と同一面で、固着されている。前記切断用パイプ（１−Ａ）背面側は、すり鉢形状（１−Ｈ）を形成しており、拘束輪部材（３０）に有する拘束輪取付パイプ（３−Ａ）先端に固着された拘束輪（３−Ｃ）とを前記切断用パイプ（１−Ａ）の背面側から、円滑に挿入するための形状である。
【００２０】
切断部材（１０）の切断用パイプ（１−Ａ）の内径は、例えば５．５ミリメートルから６．０ミリメートルが好ましいが、この寸法値に限定されるものではない。        
【００２１】
切断用パイプ（１−Ａ）の先端は、ささみ（２００）からささみの筋（５５）周囲のささみ肉（６０）の組織を押切る為の、刃物になっており、前記切断用パイプ（１−Ａ）の先端本実施例では内側を刃物形状にしてある。内側を研磨するのは、拘束輪（３−Ｃ）及び拘束用パイプ（２−Ａ）の先端で拘束された前記ささみの筋（５５）を、前記切断用パイプ（１−Ａ）内部にスムーズに引き込めるようにすり鉢形状にするためである。
【００２２】
図６に示す拘束用パイプ部材（２０）に有する、拘束用パイプ（２−Ａ）は硬質で腐食しにくい素材であり、前記拘束用パイプ（２−Ａ）の外径は、切断用パイプ（１−Ａ）内径よりも例えば０．１ミリメートルから０．５ミリメートル細いパイプである。前記拘束用パイプ部材（２０）に有する、前記拘束用パイプ（２−Ａ）は拘束用パイプ柄（２）先端側底面中心から背面側底面中心を貫通し、前記拘束用パイプ（２−Ａ）背面側最端部は前記拘束用パイプ柄（２）の背面側底面と同一面で、固着されている。前記拘束用パイプ（２−Ａ）背面側は、すり鉢形状（２−Ｈ）を形成しており、拘束輪部材（３０）に設けた拘束輪（３−Ｃ）を前記拘束用パイプ（２−Ａ）の背面側から、円滑に挿入するための形状である。
【００２３】
拘束用パイプ柄（２）の背面側底面中心から前記拘束用パイプ柄（２）の外周までの距離の例えば３分の２程の位置に、拘束輪部材（３０）の拘束輪パイプ柄（３）先端側の底面に対して、垂直に固着されている（本実施例では２本）後述する拘束ピン（３−Ｂ）の露出延長全てが挿入されうる深度の拘束ピン用穴（２−Ｆ）が設けられている。前記拘束ピン用穴（２−Ｆ）を設けることにより、前記拘束輪部材（３０）に有する、拘束輪（３−Ｃ）及び拘束輪取付パイプ（３−Ａ）の露出部分全てを拘束用パイプ（２−Ａ）背面側から挿入していった場合、前記拘束用パイプ柄（２）の背面側底面と前記拘束輪パイプ柄（３）の先端側底面が密着できる構造である。前記拘束ピン用穴（２−Ｆ）の直径は本実施例では、例えば４．０ミリメートルから５．０ミリメートルとした。
【００２４】
拘束用パイプ柄（２）の背面側底面中心から拘束ピン用穴（２−Ｆ）（本実施例では２箇所）と同距離円周上に、前記拘束ピン用穴（２−Ｆ）から連続する前記拘束用パイプ柄（２）の背面側底面中心を角とする、図７に示す弓形角度（２−Ｇ）１６０゜程の弓形形状の傾斜溝（２−Ｃ）が（本実施例では、前記拘束用パイプ柄（２）の背面側から見て反時計回り）施されており、弓形形状の前記傾斜溝（２−Ｃ）の先端側溝底面は、前記拘束用パイプ柄（２）の背面側底面に対し例えば図８に示す傾斜角（２−Ｋ）２０゜から２５゜程が施された、前記拘束用パイプ柄（２）の背面側から見て反時計回り方向に浅くなる傾斜溝（２−Ｃ）が施されている。溝の幅は本実施例では、例えば４．０ミリメートルから５．０ミリメートルとした。
【００２５】
拘束輪部材（３０）に有する、拘束輪取付パイプ（３−Ａ）は、硬質で腐食しにくい素材であり、前記拘束輪取付パイプ（３−Ａ）外径は、拘束用パイプ（２−Ａ）の内径よりも、例えば０．１ミリメートルから０．５ミリメートル細いパイプである。前記拘束輪部材（３０）に有する、前記拘束輪取付パイプ（３−Ａ）は拘束輪パイプ柄（３）の先端側底面中心から背面側底面中心に向けて未貫通の状態で固着されている。
【００２６】
拘束輪取付パイプ（３−Ａ）先端側には、頑丈で細く柔軟性のある１本の紐状の素材で、先端側方向、背面側方向が長い楕円形状の拘束輪（３−Ｃ）を設けている。前記拘束輪（３−Ｃ）背面側は拘束輪取付パイプ（３−Ａ）先端内側に固着されており、前記拘束輪（３−Ｃ）により形成された楕円形状の空間（３−Ｄ）を有している。前記拘束輪（３−Ｃ）を楕円形状にすることにより、前述した切断用パイプ（１−Ａ）背面側に施されたすり鉢形状（１−Ｈ）及び拘束用パイプ（２−Ａ）背面側に施されたすり鉢形状（２−Ｈ）からの前記拘束輪（３−Ｃ）と拘束輪取付パイプ（３−Ａ）の挿入を円滑にすることができる。
【００２７】
図４に示す拘束輪部材（３０）に有する拘束輪パイプ柄（３）の先端側底面には、前述した拘束ピン（３−Ｂ）（本実施例では例えば２本）が前記拘束輪パイプ柄（３）の先端側底面中心から前記拘束輪パイプ柄（３）の外周までの距離の３分の２程の位置に前記拘束輪パイプ柄（３）先端側の底面に対して、垂直に固着されている。素材は腐食し難く、曲がり難い金属製の円柱状の棒であるが、多角柱でも使用可能である。本実施例では、例えば直径２．５ミリメートルから３．０ミリメートルとした。
【００２８】
拘束用パイプ部材（２０）に有する拘束用パイプ柄（２）の背面側底面に施された拘束ピン用穴（２−Ｆ）及び傾斜溝（２−Ｃ）と拘束輪部材（３０）に有する拘束輪パイプ柄（３）先端側底面に施された拘束ピン（３−Ｂ）は、同心円状で相対する位置にある。
【００２９】
切断部材（１０）の背面側から拘束用パイプ部材（２０）の先端側が、前記拘束用パイプ部材（２０）の背面側から拘束輪部材（３０）の先端側が挿入され、前記拘束用パイプ部材（２０）に設けられた拘束ピン用穴（２−Ｆ）に前記拘束輪部材（３０）に有する拘束ピン（３−Ｂ）が挿入され、図１に示すささみの筋取り器具（１００）である。
【００３０】
本実施例では、拘束用パイプ柄（２）の背面側底面に拘束ピン用穴（２−Ｆ）と傾斜溝（２−Ｃ）とし、拘束輪パイプ柄（３）の先端側底面に拘束ピン（３−Ｂ）であるが、前記拘束ピン用穴（２−Ｆ）に前記拘束ピン（３−Ｂ）を挿入する際の、視覚的条件を考慮したものであり、前記拘束用パイプ柄（２）の背面側底面に前記拘束ピン（３−Ｂ）、前記拘束輪パイプ柄（３）の先端側底面に前記拘束ピン用穴（２−Ｆ）と前記傾斜溝（２−Ｃ）を設けても実施可能である。
【００３１】
切断部材（１０）に有する切断用パイプ柄（１）先端側底面露出部分の切断用パイプ（１−Ａ）は、ささみ（２００）にあるささみの筋（５５）先端側端部まで周囲の組織を押し切る目的であるため、前記ささみ（２００）のささみの筋（５５）の露出部分側から反対側、内端部まで挿入しうる長さが必要である。しかし、前記ささみ（２００）は個体別の長さが多少異なるが、本実施例に基づき、前記切断部材（１０）に有する切断パイプ柄（１）の先端側底面から露出する切断用パイプ（１−Ａ）先端までの長さを例えば１１．０センチメートルと定義し、前記切断部材（１０）に有する前記切断用パイプ柄（１）の長さを、本実施例に基づき例えば６.０センチメートルと定義する。したがって前記切断用パイプ（１−Ａ）は前記切断用パイプ柄（１）を貫通した構造であるため、全長は本実施例に基づいては例えば１７.０センチメートルであると定義する。この、本実施例に基づいた前記切断用パイプ（１−Ａ）全長１７.０センチメートルを基準とし、拘束用パイプ部材（２０）に有する拘束用パイプ（２−Ａ）、拘束用パイプ柄（２）の長さ及び、拘束輪部材（３０）に有する拘束輪取付パイプ（３−Ａ）及び拘束輪パイプ柄（３）の長さを説明する。
【００３２】
ささみ（２００）にあるささみの筋（５５）取り作業開始前は、ささみの筋取り器具（１００）を図１に示す形態にする必要がある。切断部材（１０）拘束用補助部材（２０）拘束輪部材（３０）が前述した順序で挿入され３つの部材の柄が各々密着された状態での作業開始となる。
【００３３】
一連のささみの筋（５５）取りで行う、初期の工程であるささみの筋（５５）を拘束する作業を履行するため、拘束用部材の一つであり、切断部材（１０）背面側から最初に挿入される部材の拘束用パイプ部材（２０）に有する拘束用パイプ（２−Ａ）は、その先端で、後述する拘束輪部材（３０）に有する拘束輪（３−Ｃ）を締付け、前記ささみの筋（５５）を拘束する。切断部材（１０）に有する前記切断用パイプ（１−Ａ）先端より露出した状態にする必要がある。故に前述定義した前記切断部材（１０）に有する前記切断用パイプ（１−Ａ）の全長１７.０センチメートルより長くなければならない。しかしながら前記拘束用パイプ（２−Ａ）先端が前記切断用パイプ（１−Ａ）先端より露出し過ぎると、作業効率や使用後の洗浄及び収納面で不具合を生じる可能性があるため、本実施例では図１に示す形態とした場合、前記切断用パイプ（１−Ａ）先端から先端方向へ前記拘束用パイプ（２−Ａ）の露出寸法値を例えば１．０センチメートルから１．５センチメートルと定義して、拘束用補助部材（２０）に有する拘束用パイプ柄（２）の長さを、本実施例に基づいては例えば６.０センチメートルと定義する。したがって前記拘束用パイプ（２−Ａ）は前記拘束用パイプ柄（２）を貫通した構造であるため、前記拘束用パイプ（２−Ａ）の全長を本実施例に基づいては例えば２４.０センチメートルであると定義する。
【００３４】
ささみの筋（５５）取りで行う、最初の工程である前記ささみの筋（５５）を拘束する作業を履行するため、拘束輪部材（３０）に有する拘束輪取付パイプ（３−Ａ）先端に固着された拘束輪（３−Ｃ）により形成された楕円形の空間（３−Ｄ）に、容易に前記ささみの筋（５５）を入れる必要がある。故に前記拘束輪（３−Ｃ）により形成された前記空間（３−Ｄ）全体が、切断部材（１０）に有する切断用パイプ（１−Ａ）及び拘束用パイプ部材（２０）に有する拘束用パイプ（２−Ａ）先端より露出した状態にする必要がある。前記拘束輪部材（３０）に有する拘束輪取付パイプ（３−Ａ）は、拘束用パイプ部材（２０）背面側から挿入され前記拘束用補助部材（２０）を貫通した長さが必要であり、前述定義した拘束用パイプ（２−Ａ）の全長２４.０センチメートルを超える長さが必要である。しかしながら前記拘束輪取付パイプ（３−Ａ）先端が前記拘束用パイプ（２−Ａ）先端より露出し過ぎると、作業効率や使用後の洗浄及び収納面で不具合を生じる可能性があるため、本実施例では図１に示す形態とした場合、前記拘束用パイプ（２−Ａ）先端から先端方向へ前記拘束輪取付パイプ（３−Ａ）先端の露出寸法を例えば０．５センチメートルと定義して、拘束輪部材（３０）に有する拘束輪部材柄（３）の先端側底面中心に固着される固着寸法を本実施例に基づいては例えば２．５センチメートルと定義する。したがって、拘束輪取付パイプ（３−Ａ）の全長を本実施例に基づいては例えば２７．０センチメートルであると定義する。
【００３５】
拘束輪部材（３０）に有する拘束輪部材柄（３）と連結されている拘束輪（３−Ｃ）により形成された楕円形の空間（３−Ｄ）にささみの筋（５５）を入れ、前記拘束輪パイプ柄（３）を引くと前記拘束輪（３−Ｃ）と拘束用パイプ（２−Ａ）先端内側により、前記拘束輪（３−Ｃ）が締まり楕円形の空間（３−Ｄ）が無くなり前記ささみの筋（５５）が、拘束されるのであるが、この状態で、切断部材（１０）に有する切断用パイプ柄（１）に固着された切断用パイプ（１−Ａ）をささみ（２００）に押し入れると、切断用パイプ（１−Ａ）先端に前記ささみの筋（５５）が引っ掛かり前記拘束輪（３−Ｃ）が先端側に押され、前記拘束輪（３−Ｃ）により形成された楕円形の前記空間（３−Ｄ）が前記拘束用パイプ（２−Ａ）先端で再び広がり、拘束された前記ささみの筋（５５）が前記拘束輪（３−Ｃ）から外れ、目的である前記ささみの筋（５５）取りが履行できない。そのため、前記拘束輪（３−Ｃ）と拘束用パイプ（２−Ａ）先端で拘束した段階で、拘束輪部材（３０）先端側底面にに対して、拘束ピン（３−Ｂ）と拘束用パイプ柄（２）の背面側底面に施されている弓形形状の傾斜溝（２−Ｃ）で拘束固定状態にするのである。
【００３６】
拘束輪（３−Ｃ）により形成された楕円形の空間（３−Ｄ）ささみの筋（５５）を入れ、拘束輪パイプ柄（３）を背面側に引き、前記拘束輪（３−Ｃ）が拘束用パイプ（２−Ａ）先端内側で締め付けた状態の時、前記拘束輪パイプ柄（３）に固着された拘束ピン（３−Ｂ）が拘束用パイプ部材（２０）の有する拘束用パイプ柄（２）に設けた拘束ピン用穴（２−Ｆ）の内部で前記拘束輪パイプ柄（３）と同距離背面側にスライドしている。この状態で、前記拘束ピン（３−Ｂ）先端部が前記拘束用パイプ柄（２）の背面側底面に施されている弓形形状の傾斜溝（２−Ｃ）の（図８に示す）最深部傾斜開始点（２−Ｍ）を、本実施例では例えば２．０ミリメートルから３．０ミリメートル背面側に過ぎた状態になるよう調整している図１１参照。前記拘束輪パイプ柄（３）を前記傾斜溝（２−Ｃ）の浅方向に回転させた時、前記拘束ピン（３−Ｂ）が円滑に前記傾斜溝（２−Ｃ）に移動できる構造である。
【００３７】
拘束用パイプ柄（２）背面側底面に施された弓形形状の傾斜溝（２−Ｃ）の角度については前述したが、本実施例に基づいては最深部寸法値は、例えば１０．０ミリメートルとし最浅部寸法値は、例えば１.０ミリメートルとすると、その差は９.０ミリメートルとなる。拘束輪パイプ柄（３）を拘束輪取付パイプ（３−Ａ）を軸に傾斜溝（２−Ｃ）の浅方向に回転させた時固着された拘束ピン（３−Ｂ）先端が前記傾斜溝（２−Ｃ）の浅方向に移動し、前記拘束輪パイプ柄（３）を背面側に移動させることにより、連結した拘束輪（３−Ｃ）が更に引かれささみの筋（５５）を強く拘束固定するのであるが、この前記傾斜溝（２−Ｃ）によりささみの筋取り器具（１００）を使用する人の腕力の違い、拘束輪（３−Ｃ）によるささみの筋（５５）の露出部分を引っ掛ける場所の違い、ささみ（２００）個体別によるささみの筋（５５）の太さの違いを、前記傾斜溝（２−Ｃ）の深さ寸法の違いで調整する構造である。
【００３８】
本実施例では、切断部材（１０）の切断用パイプ柄（１）、拘束用パイプ部材（２０）の拘束用パイプ柄（２）、拘束輪取付部材（３０）の拘束輪取付部材柄（３）の柄は円柱形であるが、多角形でも実施可能である。
【００３９】
本実施例では、拘束用パイプ部材（２０）の拘束用パイプ柄（２）背面側に設けた、傾斜溝（２−Ｃ）と、拘束輪部材（３０）の拘束輪取付パイプ柄（３）先端側に設けた、拘束ピン（３−Ｂ）により、ささみの筋（５５）を、より強固に拘束固定する方式であるが、柄同士の間隔調整をネジ式又は、バネ式にしても実施可能ではある。しかし、使用後の洗浄面、衛生面を考慮し、本実施例では、上記方式にした。
【００４０】
切断部材（１０）の切断用パイプ（１−Ａ）、拘束用パイプ部材（２０）の拘束用パイプ（２−Ａ）、拘束輪部材（３０）の拘束輪取付パイプ（３−Ａ）の材質であるが、強靭で、食材を扱う調理器具としての衛生面を考慮して腐食しにくい加工の容易な素材が適切であると考えられる。拘束輪（３−Ｃ）の材質であるが、頑丈で細く柔軟性のある素材が適切であると考えられる。
【００４１】
本発明の動力は手動であるが、各部材を動作させるところの動力を、電気的又は、機械的動力に変更すれば、ささみの筋取り作業のオートメーション化も可能である。
【００４２】
本発明は、以上の構成からなるささみの筋取り器具（１００）である。
【００４３】
本発明を使用する場合は、図９、図１０に示す、ささみの筋取り器具（１００）
の先端側にある拘束輪（３−Ｃ）により形成された空間（３−Ｄ）に、ささみ（２００）の露出部分のささみの筋（５５）を差込み、切断部材柄（１）及び拘束用パイプ柄（２）は固持したまま、拘束輪取付パイプ柄（３）を把持し背面側に引っ張り、拘束輪取付パイプ（３−Ａ）先端に固着された、拘束輪（３−Ｃ）と拘束用パイプ（２−Ａ）の先端で、ささみの筋（５５）を拘束する。図１１参照
【００４４】
切断部材柄（１）及び拘束用パイプ柄（２）は固持したまま、拘束輪パイプ柄（３）を弓形状の傾斜溝（２−Ｃ）の浅方向に柄（３）を軽牽引ながら回し、拘束ピン（３−Ｂ）先端を前記傾斜溝（２−Ｃ）に接触させ前記拘束ピン（３−Ｂ）を固定する。拘束輪取付パイプ（３−Ａ）先端に固着された、拘束輪（３−Ｃ）と拘束用パイプ（２−Ａ）の先端でささみの筋（５５）の拘束を固定した状態である。図１２参照
【００４５】
その状態で、拘束用パイプ柄（２）を固持し、切断部材（１０）に有する切断部材柄（１）を把持し、切断用パイプ（１−Ａ）をささみ（２００）に押し入れる。
【００４６】
ささみ（２００）に、切断部材（１０）の切断用パイプ柄（１）先端側底面付近まで切断用パイプ（１−Ａ）を押し入れ、図１３参照、前記切断用パイプ柄（１）を固持し、拘束固定により一体化している拘束用パイプ部材（２０）と拘束輪部材（３０）と拘束状態のささみの筋（５５）を、拘束用パイプ柄（２）を把持し、切断部材（１０）背面側から引抜く。図１４参照
【００４７】
拘束用パイプ柄（２）を固持し、拘束輪パイプ柄（３）を弓形状の傾斜溝（２−Ｃ）の深方向に前記拘束輪パイプ柄（３）を回し、拘束状態のささみの筋（５５）を外し、切断用パイプ（１−Ａ）に刺さったささみ肉（６０）を抜き取れば作業完了である。
【００４８】
調理するささみ（２００）が複数本ある場合は、切断部材（１０）背面から、拘束用パイプ部材（２０）、拘束輪部材（３０）の順序で挿入し、図１の形態に復元すれば、
繰返し使用できる。
【符号の説明】
【００４９】
１００      ささみの筋取り器具
２００      ささみ
１０        切断部材
１          切断用パイプ柄
１−Ａ      切断用パイプ
１−Ｈ      すり鉢形状
２０        拘束用パイプ部材
２           拘束用パイプ柄
２−Ａ      拘束用パイプ
２−Ｃ      傾斜溝
２−Ｆ      拘束ピン用穴
２−Ｇ      弓形角度
２−Ｈ      すり鉢形状
２−Ｋ      傾斜角
２−Ｍ      最深部傾斜開始点
３０        拘束輪部材
３           拘束輪パイプ柄  
３−Ａ      拘束輪取付パイプ
３−Ｂ      拘束ピン
３−Ｃ      拘束輪
３−Ｄ      空間
５５        ささみの筋
６０        ささみ肉
【図１】
2020054260.tif 000003
【図２】
2020054260.tif 000004
【図３】
2020054260.tif 000005
【図４】
2020054260.tif 000006
【図５】
2020054260.tif 000007
【図６】
2020054260.tif 000008
【図７】
2020054260.tif 000009
【図８】
2020054260.tif 000010
【図９】
2020054260.tif 000011
【図１０】
2020054260.tif 000012
【図１１】
2020054260.tif 000013
【図１２】
2020054260.tif 000014
【図１３】
2020054260.tif 000015
【図１４】
2020054260.tif 000016
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
切断用パイプ柄（１）と拘束用パイプ柄（２）と拘束輪パイプ柄（３）と切断用パイプ（１−Ａ）と拘束用パイプ（２−Ａ）と拘束輪取付パイプ（３−Ａ）と拘束輪（３−Ｃ）で構成され、前記切断用パイプ（１−Ａ）は前記切断用パイプ柄（１）に固着され、前記拘束用パイプ（２−Ａ）は前記拘束用パイプ柄（２）に固着され、前記拘束輪取付パイプ（３−Ａ）は前記拘束輪パイプ柄（３）に固着され、前記拘束輪取付パイプ（３−Ａ）先端側に固着された前記拘束輪（３−Ｃ）は空間（３−Ｄ）を形成し、前記切断用パイプ（１−Ａ）に前記拘束用パイプ（２−Ａ）が、前記拘束用パイプ（２−Ａ）に前記拘束輪取付パイプ（３−Ａ）が、円滑に抜差し可能とする隙間を介在させた外径及び内径異なるパイプを同心状に配置した構造を特徴とするささみの筋取り器具。
【手続補正２】
【補正対象書類名】明細書
【補正対象項目名】００４３
【補正方法】変更
【補正の内容】
【００４３】  本発明を使用する場合は、［図９］［図１０］に示す、ささみの筋取り器具（１００）の先端側にある拘束輪（３−Ｃ）により形成された空間（３−Ｄ）に、ささみ（２００）の露出部分のささみの筋（５５）を差込み、切断用パイプ柄（１）及び拘束用パイプ柄（２）は固持したまま、拘束輪取付パイプ柄（３）を把持し背面側に引っ張り、拘束輪取付パイプ（３−Ａ）先端に固着された、拘束輪（３−Ｃ）と拘束用パイプ（２−Ａ）の先端で、ささみの筋（５５）を拘束する。［図１１］参照
【手続補正３】
【補正対象書類名】明細書
【補正対象項目名】００４４
【補正方法】変更
【補正の内容】
【００４４】切断用パイプ柄（１）及び拘束用パイプ柄（２）は固持したまま、拘束輪パイプ柄（３）を弓形状の傾斜溝（２−Ｃ）の浅方向に柄（３）を軽牽引ながら回し、拘束ピン（３−Ｂ）先端を前記傾斜溝（２−Ｃ）に接触させ前記拘束ピン（３−Ｂ）を固定する。拘束輪取付パイプ（３−Ａ）先端に固着された、拘束輪（３−Ｃ）と拘束用パイプ（２−Ａ）の先端でささみの筋（５５）の拘束を固定した状態である。［図１２］参照
【手続補正４】
【補正対象書類名】明細書
【補正対象項目名】００４５
【補正方法】変更
【補正の内容】
【００４５】  その状態で、拘束用パイプ柄（２）を固持し、切断部材（１０）に有する切断用パイプ柄（１）を把持し、切断用パイプ（１−Ａ）をささみ（２００）に押し入れる。